【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
支持体および該支持体上の感光層を有し、かつ表面層が導電性粒子を含有する層である電子写真感光体において、
該導電性粒子が、乾燥減量（未撥水処理の導電性粒子を１０５℃で２時間乾燥した後の質量をＭｄとし、乾燥する前の質量をＭとしたとき、［（Ｍ−Ｍｄ）／Ｍ］×１００で算出される乾燥減量［質量％］）が２〜７質量％である未撥水処理の導電性粒子に対し、撥水処理剤を用いた撥水処理を施すことによって得られた撥水処理済みの導電性粒子である
ことを特徴とする電子写真感光体。
【請求項２】
支持体および該支持体上の感光層を有し、かつ表面層が導電性粒子を含有する層である電子写真感光体において、
該導電性粒子が、未撥水処理の導電性粒子に対し、撥水処理剤と該未撥水処理の導電性粒子に対して２〜１０質量％の水とを用いた撥水処理を施すことによって得られた撥水処理済みの導電性粒子である
ことを特徴とする電子写真感光体。
【請求項３】
請求項１または２に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項４】
請求項１または２のいずれかに記載の電子写真感光体、帯電手段、露光手段、現像手段および転写手段を有することを特徴とする電子写真装置。
【請求項５】
支持体および該支持体上の感光層を有し、かつ表面層が導電性粒子を含有する層である電子写真感光体を製造する方法において、
乾燥減量（未撥水処理の導電性粒子を１０５℃で２時間乾燥した後の質量をＭｄとし、乾燥する前の質量をＭとしたとき、［（Ｍ−Ｍｄ）／Ｍ］×１００で算出される乾燥減量［質量％］）が２〜７質量％である未撥水処理の導電性粒子に対し、撥水処理剤を用いた撥水処理を施すことによって、撥水処理済みの導電性粒子を得る撥水処理工程と、
該撥水処理済みの導電性粒子を用いて該表面層を形成する表面層形成工程と
を有することを特徴とする電子写真感光体の製造方法。
【請求項６】
支持体および該支持体上の感光層を有し、かつ表面層が導電性粒子を含有する層である電子写真感光体を製造する方法において、
未撥水処理の導電性粒子に対し、撥水処理剤と該未撥水処理の導電性粒子に対して２〜１０質量％の水とを用いた撥水処理を施すことによって、撥水処理済みの導電性粒子を得る撥水処理工程と、
該撥水処理済みの導電性粒子を用いて該表面層を形成する表面層形成工程と
を有することを特徴とする電子写真感光体の製造方法。
【請求項７】
前記未撥水処理の導電性粒子の乾燥減量（未撥水処理の導電性粒子を１０５℃で２時間乾燥した後の質量をＭｄとし、乾燥する前の質量をＭとしたとき、［（Ｍ−Ｍｄ）／Ｍ］×１００で算出される乾燥減量［質量％］）が２〜７質量％である請求項６に記載の電子写真感光体の製造方法。
【請求項８】
撥水処理工程の前に、未撥水処理の導電性粒子を湿度６０％ＲＨ以上の雰囲気下に曝すことによって前記乾燥減量が２〜７質量％である未撥水処理の導電性粒子を得る工程をさらに有する請求項５または７に記載の電子写真感光体の製造方法。
【請求項９】
撥水処理工程において用いる前記撥水処理剤の質量が、前記未撥水処理の導電性粒子の質量に対して８〜３０質量％である請求項５〜８のいずれかに記載の電子写真感光体の製造方法。
【請求項１０】
撥水処理工程における撥水処理が湿式法による撥水処理である請求項５〜９のいずれかに記載の電子写真感光体の製造方法。
【請求項１１】
前記導電性粒子が、金属粒子または金属酸化物粒子である請求項５〜１０のいずれかに記載の電子写真感光体の製造方法。
【請求項１２】
前記金属酸化物粒子が、酸化スズの粒子である請求項１１に記載の電子写真感光体の製造方法。
【請求項１３】
前記金属酸化物粒子が、酸化アンチモンをドープした酸化スズの粒子である請求項１１に記載の電子写真感光体の製造方法。
【請求項１４】
前記酸化アンチモンが、Ｓｂ２Ｏ５である請求項１３に記載の電子写真感光体の製造方法。
【請求項１５】
前記酸化スズが、ＳｎＯ２である請求項１２〜１４のいずれかに記載の電子写真感光体の製造方法。
【請求項１６】
前記撥水処理剤が、シランカップリング剤である請求項５〜１５のいずれかに記載の電子写真感光体の製造方法。
【請求項１７】
前記撥水処理剤が、シロキサン化合物またはフッ素原子含有化合物である請求項５〜１５のいずれかに記載の電子写真感光体の製造方法。
【請求項１８】
前記撥水処理剤が、フッ素原子含有シランカップリング剤、フッ素変性シリコーンオイルおよびフッ素原子含有界面活性剤からなる群より選択される少なくとも１種である請求項５〜１５のいずれかに記載の電子写真感光体の製造方法。
【手続補正２】
【補正対象書類名】明細書
【補正対象項目名】発明の名称
【補正方法】変更
【補正の内容】
【発明の名称】電子写真感光体、プロセスカートリッジ、電子写真装置および電子写真感光体の製造方法
【手続補正３】
【補正対象書類名】明細書
【補正対象項目名】０００１
【補正方法】変更
【補正の内容】
【０００１】
本発明は、電子写真感光体、電子写真感光体を有するプロセスカートリッジおよび電子写真装置、ならびに、電子写真感光体の製造方法に関する。
【手続補正４】
【補正対象書類名】明細書
【補正対象項目名】００１４
【補正方法】変更
【補正の内容】
【００１４】
本発明の目的は、表面層が撥水処理剤を用いて撥水処理された導電性粒子を含有する電子写真感光体において、表面層の体積抵抗率の環境変動が小さく、あらゆる環境下で保護層の体積抵抗率を精度良く適切に保つことが可能で、にじみ、ボケ、ムラ、白抜けなどの画像不良がなく、出力画像の高精細性、ドット再現性と、電気的外力、機械的外力に対する耐久性とが両立された電子写真感光体およびその製造方法を提供することにある。
【手続補正５】
【補正対象書類名】明細書
【補正対象項目名】００１６
【補正方法】変更
【補正の内容】
【００１６】
本発明は、支持体および該支持体上の感光層を有し、かつ表面層が導電性粒子を含有する層である電子写真感光体において、
該導電性粒子が、乾燥減量（未撥水処理の導電性粒子を１０５℃で２時間乾燥した後の質量をＭｄとし、乾燥する前の質量をＭとしたとき、［（Ｍ−Ｍｄ）／Ｍ］×１００で算出される乾燥減量［質量％］）が２〜７質量％である未撥水処理の導電性粒子に対し、撥水処理剤を用いた撥水処理を施すことによって得られた撥水処理済みの導電性粒子である
ことを特徴とする電子写真感光体である。
【手続補正６】
【補正対象書類名】明細書
【補正対象項目名】００１７
【補正方法】変更
【補正の内容】
【００１７】
また、本発明は、支持体および該支持体上の感光層を有し、かつ表面層が導電性粒子を含有する層である電子写真感光体において、
該導電性粒子が、未撥水処理の導電性粒子に対し、撥水処理剤と該未撥水処理の導電性粒子に対して２〜１０質量％の水とを用いた撥水処理を施すことによって得られた撥水処理済みの導電性粒子である
ことを特徴とする電子写真感光体である。
【手続補正７】
【補正対象書類名】明細書
【補正対象項目名】００１８
【補正方法】変更
【補正の内容】
【００１８】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジである。
また、本発明は、上記電子写真感光体、帯電手段、露光手段、現像手段および転写手段を有することを特徴とする電子写真装置である。
また、本発明は、支持体および該支持体上の感光層を有し、かつ表面層が導電性粒子を含有する層である電子写真感光体を製造する方法において、
乾燥減量（未撥水処理の導電性粒子を１０５℃で２時間乾燥した後の質量をＭｄとし、乾燥する前の質量をＭとしたとき、［（Ｍ−Ｍｄ）／Ｍ］×１００で算出される乾燥減量［質量％］）が２〜７質量％である未撥水処理の導電性粒子に対し、撥水処理剤を用いた撥水処理を施すことによって、撥水処理済みの導電性粒子を得る撥水処理工程と、
該撥水処理済みの導電性粒子を用いて該表面層を形成する表面層形成工程と
を有することを特徴とする電子写真感光体の製造方法である。
また、本発明は、支持体および該支持体上の感光層を有し、かつ表面層が導電性粒子を含有する層である電子写真感光体を製造する方法において、
未撥水処理の導電性粒子に対し、撥水処理剤と該未撥水処理の導電性粒子に対して２〜１０質量％の水とを用いた撥水処理を施すことによって、撥水処理済みの導電性粒子を得る撥水処理工程と、
該撥水処理済みの導電性粒子を用いて該表面層を形成する表面層形成工程と
を有することを特徴とする電子写真感光体の製造方法である。
【手続補正８】
【補正対象書類名】明細書
【補正対象項目名】００１９
【補正方法】変更
【補正の内容】
【００１９】
本発明によれば、表面層が撥水処理剤を用いて撥水処理された導電性粒子を含有する電子写真感光体において、表面層の体積抵抗率の環境変動が小さく、あらゆる環境下で保護層の体積抵抗率を精度良く適切に保つことが可能で、にじみ、ボケ、ムラ、白抜けなどの画像不良がなく、出力画像の高精細性、ドット再現性と、電気的外力、機械的外力に対する耐久性とが両立された電子写真感光体およびその製造方法を提供することができる。
【手続補正９】
【補正対象書類名】明細書
【補正対象項目名】０１５６
【補正方法】変更
【補正の内容】
【０１５６】
このように、本発明によれば、表面層が撥水処理剤を用いて撥水処理された導電性粒子を含有する電子写真感光体において、表面層の体積抵抗率の環境変動が小さく、あらゆる環境下で保護層の体積抵抗率を精度良く適切に保つことが可能で、にじみ、ボケ、ムラ、白抜けなどの画像不良がなく、出力画像の高精細性、ドット再現性と、電気的外力、機械的外力に対する耐久性とが両立された電子写真感光体およびその製造方法を提供することができる。